(57)【要約】【課題】取り扱いが容易で、口腔内において容易かつ安全に人工膜を固定することが可能なスクリューを提供する。【解決手段】人工歯根を埋入する歯槽骨に欠損があり、この欠損部位に新生骨を再生する際に上記欠損部位を覆う人工膜を歯槽骨に固定するスクリュー１であって、上記歯槽骨に螺着するスクリュー部本体２ａに上記人工膜を歯槽骨上に押さえ付けて固定する円板状の頭部２ｂを設けたスクリュー部２と、このスクリュー部２を回転する軸部３と、上記スクリュー部２のスクリュー部本体２ａとほぼ同径な円柱状の屈曲破断部４とからなり、上記屈曲破断部４を介して上記スクリュー部２と軸部３を同一軸心上で一体に形成した。【選択図】図１
2005168874.tif 000002
【特許請求の範囲】
【請求項１】
人工歯根を埋入する歯槽骨に欠損があり、この欠損部位に新生骨を再生する際に上記欠損部位を覆う人工膜を歯槽骨に固定するスクリューであって、
上記歯槽骨に螺着するスクリュー部本体に上記人工膜を歯槽骨上に押さえ付けて固定する円板状の頭部を設けたスクリュー部と、このスクリュー部を回転する軸部と、上記スクリュー部のスクリュー部本体とほぼ同径な円柱状の屈曲破断部とからなり、上記屈曲破断部を介して上記スクリュー部と軸部を同一軸心上で一体に形成したことを特徴とするスクリュー。
【請求項２】
上記屈曲破断部は、スクリュー部を歯槽骨に螺着する際の抵抗力でねじれ破断せず、螺着したスクリュー部により歯槽骨を傷めない力で折曲破断する太さに形成したことを特徴とする請求項１記載のスクリュー。
【発明の詳細な説明】
【技術分野】
【０００１】
本発明は、人工歯根であるインプラントを埋入する歯槽骨に欠損があり、その欠損部を再生する際に欠損部を覆う人工膜を歯槽骨に固定するスクリューに関する。
【背景技術】
【０００２】
従来から、人工歯根であるインプラントを歯槽骨に埋め込み、このインプラントに義歯を取り付ける治療が広く行われている。しかし、インプラントを埋め込む歯槽骨部位が欠損していて、インプラントを埋め込むスペースがない場合や少ない場合には、上記治療法を断念せざるを得なかった。
【０００３】
そこで、歯槽骨を再生する組織誘導再生法が用いられている。この組織誘導再生法は、歯槽骨の骨欠損部に配置した骨充填材を人工膜で被覆して新生骨を再生するもので、例えば特許文献１で示すように、人工膜はネジを用いて歯槽骨に固定される場合がある。
【特許文献１】特開平７−２３９８２号公報（段落番号０００８、図２）
【発明の開示】
【発明が解決しようとする課題】
【０００４】
しかし、人工膜を固定するネジは非常に小さいものであるため、口腔内での取り扱いが難しく、また複数本のネジを使用するために人工膜を歯槽骨に固定する作業が繁雑となる。また、ネジを歯槽骨にねじ込む際には、ネジ回しにより行わなければならず、ネジ頭部の溝（＋または−）にネジ回しを合致させつつネジを回す作業が困難であるとともに、ネジから外れて人工膜ばかりでなく、正常な歯槽骨をも傷つける危険性もあった。
【０００５】
本発明は、上記解決しようとする課題に鑑みてなされたもので、取り扱いが容易で、口腔内において容易かつ安全に人工膜を固定することが可能なスクリューを提供することを目的とする。
【課題を解決するための手段】
【０００６】
本発明の請求項１のスクリューは、人工歯根を埋入する歯槽骨に欠損があり、この欠損部位に新生骨を再生する際に上記欠損部位を覆う人工膜を歯槽骨に固定するスクリューであって、上記歯槽骨に螺着するスクリュー部本体に上記人工膜を歯槽骨上に押さえ付けて固定する円板状の頭部を設けたスクリュー部と、このスクリュー部を回転する軸部と、上記スクリュー部のスクリュー部本体とほぼ同径な円柱状の屈曲破断部とからなり、上記屈曲破断部を介して上記スクリュー部と軸部を同一軸心上で一体に形成したことを特徴とする。
【０００７】
本発明の請求項２のスクリューは、上記屈曲破断部は、スクリュー部を歯槽骨に螺着する際の抵抗力でねじれ破断せず、螺着したスクリュー部により歯槽骨を傷めない力で折曲破断する太さに形成したことを特徴とする。
【発明の効果】
【０００８】
本発明の請求項１のスクリューによれば、軸部を口腔外で回転器具に保持して口腔内に挿入し非常に小さいスクリュー部を容易かつ安全に歯槽骨に螺着して人工膜を固定することができる。また、軸部を傾けて屈曲破断部を折り曲げることでスクリュー部の頭部位置で屈曲破断部とスクリュー部とを分断することができる。さらに、軸部と屈曲破断部とスクリュー部は軸心を一致させているので、スクリュー部のスクリュー部本体を歯槽骨にねじ込む際にスクリューに振れが生ぜず、スクリュー部のねじ込み中に屈曲破断部が損壊することがなく、またスクリュー部に振動が生ぜず歯槽骨を傷めることがない。
【０００９】
本発明の請求項２のスクリューによれば、スクリュー部を歯槽骨へ確実に螺着できるとともに、軸部を傾けて屈曲破断部を折曲破断する際に螺着しているスクリュー部が歯槽骨を傷める前にスクリュー部と屈曲破断部を分断でき、歯槽骨を傷めることがない。
【発明を実施するための最良の形態】
【００１０】
非常に小さくて扱いにくい口腔内での人工膜固定用のスクリュー部と、このスクリュー部を回転させるための回転力を与える比較的大きな軸部を一体にするとともに、スクリュー部と軸部とを分断する屈曲破断部を形成し、スクリュー部で人工膜を固定した後に、このスクリュー部と軸部とを屈曲破断部で分断し、口腔内において容易かつ安全に人工膜を固定することができるようにした。
【実施例１】
【００１１】
本発明の実施例１を図１の正面図に基づいて説明する。
【００１２】
スクリュー１は、歯槽骨に螺着されるスクリュー部２と、このスクリュー部２を回転する軸部３と、スクリュー部２と軸部３との間に配置した折曲破壊可能な屈曲破断部４とからなり、スクリュー部２と軸部３および破断部４は軸心を一致させて一体に形成されており、生体親和性を有する純チタンまたはチタン合金製からなっている。
【００１３】
スクリュー部２は、その外周に歯槽骨に対して適度な結合力が得られて螺着可能な螺条を形成したスクリュー部本体２ａと、このスクリュー部本体２ａより大径の円板状の頭部２ｂとからなっており、頭部２ｂの中心部に上記屈曲破断部４が形成されている。頭部２ｂは、その上下面が滑らかな薄い平面に形成され、その周面は上下面と滑らかに繋げた弧状に形成されている。
【００１４】
屈曲破断部４は、上記スクリュー部２のスクリュー部本体２ａとほぼ同径の円柱状で、スクリュー部本体２ａを歯槽骨にねじ込む際にねじれ破断せず、螺着してあるスクリュー部２に歯槽骨を傷める力を生じさせることなく折曲破壊可能な大きさの径に形成され、上記スクリュー部２の頭部２ｂから分離し得るようになっている。
【００１５】
軸部３は、大径軸部３ａと小径軸部３ｂとからなっており、小径軸部３ｂの先部は先細りとした截頭円錐形に形成され、その先端に上記屈曲破断部４が形成されている。円錐面は、大径軸部３ａ部に屈曲破断部４を折曲する力を加えた際、屈曲破断部４が折曲破壊されるまで折り曲げられる前に小径軸部３ｂの縁部が頭部２ｂに当接しないような角度に形成されている。大径軸部３ａの端部には、その外周面に溝５が周設されるとともに切り欠き６が形成され、口腔内への挿入が可能な大きさの回転器具で保持が可能となっており、回転器具により低速でスクリュー１を回転させてスクリュー部２のスクリュー部本体２ａを歯槽骨に螺着し得るようになっている。
【００１６】
次に、上記構成のスクリューの作用を図２〜４に基づいて説明する。
まず、図２（ａ）に示すように、人工歯根を埋入しようとする部位の歯肉１０を通常の方法に従い切り開いて歯槽骨１１を露出させ、歯槽骨１１の欠損部位に骨補填材１２などを填入する。次に、少なくとも上記欠損部位を十分に覆い得る大きさの人工膜１３を考え、この人工膜１３が位置する歯槽骨１１にドリル（図示省略）により穿孔し、図３に示すように、スクリュー部本体２ａに形成してある螺条２ｃの谷径ｄよりも小径または同等の内径Ｄを有する下穴７を形成する。そして、骨補填材１２を覆うように人工膜１３を歯槽骨１１上に配置するとともに、口腔外でスクリュー１の軸部３を回転器具１４に保持して口腔内に挿入し、スクリュー部本体２ａの先端を下穴７に位置させつつ回転器具１４によりスクリュー１を回転させてスクリュー部本体２ａを下穴７にねじ込み、図２（ｂ）に示すように、スクリュー部本体２ａの外周面に係止させつつ頭部２ｂの下面で人工膜１３を押さえ付け、人工膜１３を歯槽骨１１上に固定する。
【００１７】
この螺着が完了した後、図４に示すように、回転器具１４により軸部３を傾けて屈曲破断部４を折り曲げる。このとき、屈曲破断部４にはスクリュー部２の頭部２ｂの位置で最も大きい曲げ応力が生ずるとともに応力の集中が生じ、屈曲破断部４は頭部２ｂの位置で破断し、歯槽骨１１に螺着しているスクリュー部２と軸部３および屈曲破断部４が分断される。そして、上記スクリュー部２の螺着を所要箇所に行ってその都度屈曲破断部４で分断し、歯槽骨１１に対する人工膜１３の固定が完了する。その後、切開した歯肉１０で人工膜１３およびスクリュー部２の頭部２ｂを覆い、通常の方法で歯肉１０を縫合する。
【００１８】
本実施例によれば、非常に小さいスクリュー部２と比較的大きくて長い軸部３を屈曲破断部４を介して一体にし、軸部３を口腔外で回転器具１４に保持してからスクリュー１を口腔内に挿入してスクリュー部２を歯槽骨１１に螺着するので、容易かつ安全に人工膜１３を歯槽骨１１に固定することができる。さらに、螺着したスクリュー部２と軸部３の分断は、軸部３を傾け屈曲破断部４を折曲破断することで容易に行うことができる。また、スクリュー部２の頭部２ｂは薄い滑らかな平面でその外周面は弧状であるとともに、外周面と頭部２ｂの上下面縁部は滑らかに繋がっているので、覆った歯肉１０を傷つけることなく裂開を防ぐことができる。
【実施例２】
【００１９】
本発明の実施例２を図５に基づいて説明する。図５は、スクリューの一部を拡大して示す断面図である。
【００２０】
スクリュー部２の頭部２ｂには、その上面に屈曲破断部４の径より大きな円形の穴２０が形成され、この穴２０の底面中央に屈曲破断部４が一体に設けられている。その他の構成は、実施例１と同様であるのでその説明を省略する。
【００２１】
本実施例によれば、スクリュー部２と軸部３を分離する際に、屈曲破断部４の一部がスクリュー部２の頭部２ｂに残ったとしても、その残部は穴２０内に存在して頭部２ｂ上には出ることがないので、その後に歯肉を被覆する際に屈曲破断部４の残部と接触せず、歯肉を傷つけることがない。
【図面の簡単な説明】
【００２２】
【図１】本発明の実施例１を示す正面図である。
【図２】本発明の実施例１のスクリューにより人工膜を固定する状態を示す説明図で、図２（ａ）は全体を示す断面説明図、図２（ｂ）は固定部分を拡大して示す断面説明図である。
【図３】本発明の実施例１のスクリュー部本体と下穴との関係を概略的に示す説明図である。
【図４】本発明の実施例１のスクリューを屈曲破断部で分断する状態を示す説明図である。
【図５】本発明の実施例２の要部を示す部分拡大断面図である。
【符号の説明】
【００２３】
１  スクリュー
２  スクリュー部
２ａ  スクリュー部本体
２ｂ  頭部
２ｃ  螺条
３  軸部
４  屈曲破断部
５  溝
６  切り欠き
７  下穴
１０  歯肉
１１  歯槽骨
１２  骨補填材
１３  人工膜
１４  回転器具
２０  穴
【図１】
2005168874.tif 000003
【図２】
2005168874.tif 000004
【図３】
2005168874.tif 000005
【図４】
2005168874.tif 000006
【図５】
2005168874.tif 000007